(57)【要約】【課題】  所定時間内に同一の情報を同一の手段で繰り返し照合装置に入力し、このときの認証回数に応じて照合装置の制御動作を変更するようにした照合装置を得る。【解決手段】  外部から入力された情報を認証すると所定の制御動作を行うものにおいて、１回目の入力情報を認証してから制御動作を開始するまでの間に所定時間の待機動作を設け、該待機動作中に、１回目の入力情報と同じ情報が繰り返し入力された場合は、これを認証するとともに待機動作開始からの該入力情報の認証回数をカウントし、待機動作終了後、その時点での認証回数に応じて制御動作の内容を変更するようにしたもの。【選択図】    図１
2005208873.tif 000002
【特許請求の範囲】
【請求項１】
外部から入力された情報を認証すると所定の制御動作を行う照合装置において、
１回目の入力情報を認証してから制御動作を開始するまでの間に所定時間の待機動作を設け、
該待機動作中に、１回目の入力情報と同じ情報が繰り返し入力された場合は、これを認証するとともに待機動作開始からの該入力情報の認証回数をカウントし、
待機動作終了後、その時点での認証回数に応じて制御動作の内容を変更することを特徴とする照合装置。
【請求項２】
待機動作中に、認証回数の変化に応じて照合装置の状態表示が逐次変化することを特徴とする請求項１記載の照合装置。
【請求項３】
待機動作中に、認証回数の変化に応じて照合装置の発する音声が変化することを特徴とする請求項１記載の照合装置。
【請求項４】
待機動作中に、１回目の入力情報を再度認証するたびに待機動作を所定時間延長することを特徴とする請求項１記載の照合装置。
【請求項５】
待機動作中に、１回目と異なる情報が入力された場合は、１回目の入力情報に対する待機動作を打切り、その時点までの認証回数に応じて制御動作を変更することを特徴とする請求項１記載の照合装置。
【請求項６】
外部からの情報が非接触カードによって入力されることを特徴とする請求項１〜請求項５のいずれかに記載の照合装置。
【請求項７】
請求項１〜請求項５のいずれかに記載の照合装置と、情報入力者の出勤及び退勤をその現在時刻とともに記録する勤怠記録装置とを備えたことを特徴とする勤怠管理システム。
【発明の詳細な説明】
【技術分野】
【０００１】
この発明は、外部から入力された情報を認証すると所定の制御動作を行う照合装置に関するものである。
【背景技術】
【０００２】
従来、テンキーなどで構成された操作入力部と、ＩＤカードに記憶されたＩＤコードを読み取り、登録の可否を判別する読取認証部と、ＩＤカードを読み取らせて所定の操作を行う際に所定の操作音、動作音を報知出力する操作／動作音出力部と、ＩＤカードの読取操作や認証結果に対して、所定の表示をする状態表示部とを備えたＩＤ照合装置と、このＩＤ照合装置におけるＩＤコードの照合結果に基づいて、自動扉の開閉或いは電気錠の施解錠を行う電気錠制御盤とで構成された入退室管理システムが知られている（例えば、特許文献１参照）。
【０００３】
【特許文献１】特開２００３−０９７１１１号公報
【発明の開示】
【発明が解決しようとする課題】
【０００４】
上記従来の技術では、照合装置が行う制御動作を変更するにあたり、「認証に必要な情報はカードで入力」、「制御動作の変更はテンキーで入力」というように、複数の手段で照合装置に情報を入力する必要があった。このため、情報入力操作が煩雑であった。すなわち、カードを持ったままではテンキーを押しにくいため、テンキーを操作しない側の手にカードを持ち替える必要があった。また、照合装置の構造が複雑になっていた。すなわち、複数の入力手段に対応するため、読取装置も複数種類必要であるという問題があった。
【０００５】
この発明は、上述のような課題を解決するためになされたもので、所定時間内に同一の情報を同一の手段で繰り返し照合装置に入力し、このときの認証回数に応じて照合装置の制御動作を変更するようにした照合装置を提供するものである。
【課題を解決するための手段】
【０００６】
この発明に係る照合装置においては、外部から入力された情報を認証すると所定の制御動作を行うものにおいて、１回目の入力情報を認証してから制御動作を開始するまでの間に所定時間の待機動作を設け、該待機動作中に、１回目の入力情報と同じ情報が繰り返し入力された場合は、これを認証するとともに待機動作開始からの該入力情報の認証回数をカウントし、待機動作終了後、その時点での認証回数に応じて制御動作の内容を変更するようにしたものである。
【発明の効果】
【０００７】
この発明は、照合装置内に設置する情報読取装置も１種類だけでよいので、照合装置への情報入力操作が簡単であり、照合装置の小型化やコスト低減ができる。
【発明を実施するための最良の形態】
【０００８】
実施の形態１．
図１はこの発明を実施するための実施の形態１の一例として照合装置を勤怠管理システムに適用した場合を示すシステム構成図、図２はこの発明の実施の形態１における勤怠管理システムの処理手順を示すフローチャート、図３はこの発明の実施の形態１における勤怠管理システムの処理手順で用いるパラメータの意味を表わす表、図４はこの発明の実施の形態１における勤怠管理システムのランプ点灯内容を表わすテーブル、図５はこの発明の実施の形態１における勤怠管理システムの勤怠記録装置の制御内容を表わすテーブルである。
【０００９】
図１において、１は会社や役所等の事業所の入口に設置された照合装置であり、非接触カードからカード情報、例えば、カード内ＩＣにあらかじめ記憶された社員番号等を読取るための読取装置１ａ、この事業所に通う全社員の社員番号等を保持した記憶装置１ｂ、所定の演算をして信号を入出力する演算装置１ｃ、照合装置１の状態を操作者に知らせるための確認ランプ１ｄと取消ランプ１ｅ、そして前記ランプ電流を流して点灯させるランプ制御装置１ｆから構成されている。
また、２は照合装置１からの制御信号を受けて動作する勤怠記録装置である。
【００１０】
次に照合装置を用いた勤怠管理システムの動作について、図１〜図５を参照して説明する。
［出勤時］
先ず出動してきた社員は、社員カード(非接触カード)を１回だけ操作する。これにより、ステップＳ１にて読取装置１ａはカードから社員番号を読取り、この情報を演算装置１ｃに入力する。次にステップＳ２にて演算装置１ｃは読取装置１ａから入力された社員番号を内部レジスタＲ１に保持する。そして、ステップＳ３にてレジスタＲ１の社員番号が、記憶装置１ｂが保持する登録社員番号の中に存在するか検索することで認証を行ない、認証ＯＫであればステップＳ４に進み、以下の動作を行う。待機タイマーＴをリセットして待機時間の計測を始める（ステップＳ４）。ステップＳ５にて認証回数カウンタＣを「１」に設定するとともに、ステップＳ６にて「Ｃ＝１」に対応する所定の信号をランプ制御装置１ｆに送り、確認ランプ１ｄを緑に点灯させる（詳細については、図４参照）。
次に、出勤時のカード操作は１回だけなので、演算装置１ｃにはこれ以後カード情報は入力されず、ステップＳ７にて認証回数カウンタＣが「Ｃ＝１」の状態で待機動作が終了する。この後、ステップＳ８にて演算装置１ｃはレジスタＲ１の社員番号とカウンタＣの最終値を勤怠記録装置２に送り、これに対応して勤怠記録装置２は、社員番号、勤怠種類（この場合は「Ｃ＝１」なので出勤）、現在時刻を内部に記録する（詳細については、図５参照）。
【００１１】
［退勤時］
次に、退勤するときは、社員カードを２回操作する。これにより、まずカードを１回操作すると、照合装置１は上記ステップＳ１〜Ｓ６の状態になる。そして、ステップＳ７の待機動作が終了する前に、ステップＳ１０にて再度カード操作があると、演算装置１ｃはステップＳ１１にてこの社員番号を内部レジスタＲ２に保持する。そして、ステップＳ１２にてレジスタＲ２の社員番号とレジスタＲ１の社員番号を比較することで２回目のカードが１回目と同じであるかの認証を行ない、認証ＯＫであればステップＳ５に進み、以下の動作を行う。ステップＳ５にて認証回数カウンタＣを１つ増やして「２」に設定する。
次にステップＳ６にて「Ｃ＝２」に対応する所定の信号をランプ制御装置１ｆに送り、確認ランプ１ｄを橙に点灯させる（詳細については、図４参照）。
退勤時のカード操作は２回で終わりなので、演算装置１ｃにはこれ以後カード情報は入力されず、ステップＳ７にて認証回数カウンタＣが「Ｃ＝２」の状態で待機動作が終了する。この後、ステップＳ８にて演算装置１ｃはレジスタＲ１の社員番号とカウンタＣの最終値を勤怠記録装置２に送り、これに対応して勤怠記録装置２は、社員番号、勤怠種類(この場合は「Ｃ＝２」なので退勤)、現在時刻を内部に記録する（詳細については、図５参照）。
【００１２】
［操作取消時］
次に、出勤時に誤ってカードを２回操作してしまった等、すでに行なった操作を取り消したい場合はカードを３回操作する。これにより、カードを１回操作した段階で、照合装置１は上記出勤時のステップＳ１〜Ｓ６になり、カードを２回操作した段階で、退勤時のステップＳ１０〜Ｓ１２を経てステップＳ５、Ｓ６の状態になる。そして、ステップＳ７の待機動作が終了する前に、ステップＳ１０にて再度３回目のカード操作があると、演算装置１ｃはステップＳ１１にてこの社員番号を内部レジスタＲ２に保持する。そして、ステップＳ１２にてレジスタＲ２の社員番号とレジスタＲ１の社員番号を比較することで３回目のカードが１回目に読込んだカードと同じであるかの認証を行ない、認証ＯＫであればステップＳ５に進み、以下の動作を行う。ステップＳ５にて認証回数カウンタＣを1つ増やして「３」に設定する。
次にステップＳ６にて「Ｃ＝３」に対応する所定の信号をランプ制御装置１ｆに送り、確認ランプ１ｄを消灯させるとともに取消ランプ１ｅを緑で点灯させる（詳細については、図４参照）。
操作取消時は、ステップＳ１３にて勤怠記録装置２には信号を送らないまま終了動作に移り、ステップＳ１４にて１秒間待機した後、ステップＳ９にてランプをすべて消灯する。
【００１３】
［１回目に読込んだカードが不正カードの時］
１回目に読込んだカードが不正カードの場合は、内部レジスタＲ１に保持した社員番号が記憶装置１ｂ内の登録社員番号に無いことから、ステップＳ３にて演算装置１ｃは正当性認証でＮＧと判断し、これに対応する所定の信号をランプ制御装置１ｆに送り、ステップＳ１５にて取消ランプ１ｅを赤に点灯させる。そして、ステップＳ１４にて１秒間待機した後、ステップＳ９にてランプをすべて消灯する。
【００１４】
［２回目以降に、１回目と異なるカードを操作した時］
２回目以降に、１回目と異なるカードを操作した場合は、演算装置１ｃはステップＳ１２のレジスタＲ１とレジスタＲ２の同一性認証でＮＧと判断し、１回目に読込んだカード（レジスタＲ１の社員番号）に対する待機動作であるステップＳ７に戻る。
【００１５】
この実施の形態１によれば、カードの操作回数を変えるだけで勤怠記録装置の動作を変更できるので、従来のようにテンキー操作等と組合せる必要がなく、操作が簡単である。また、カードの操作回数が増えるたびにランプの表示が変わるので、操作者はカード操作回数を目で確認でき、操作ミスを起こすことがない。また、照合装置への情報入力を読取時間が短い非接触カード方式としたので、必要な認証回数が数回に及んでも全体の操作時間は短くて済み、システムを効率よく運用できる。
【００１６】
実施の形態２.
図６はこの発明の実施の形態２における勤怠管理システムのブザーの鳴動内容を表わすテーブルである。
この実施の形態２は、上記実施の形態１とは別の方式として、図２のステップＳ６における動作で、ランプを点灯する代わりに照合装置がブザー等による音声を発する方式としたものである。例えば、図６に示すように、照合装置がＣ値の変化に応じて異なる音声を発するようにすれば、操作者はカード操作回数を音の違いで確認でき、操作ミスを起こすことがなくなるという効果がある。
【００１７】
実施の形態３．
図７はこの発明の実施の形態３における勤怠管理システムの処理手順を示すフローチャート、図８はこの発明の実施の形態３における勤怠管理システムの処理手順で用いるパラメータの意味を表わす表である。
【００１８】
この発明の実施の形態３の照合装置を用いた勤怠管理システムの動作について、図１、図７及び図８を参照して説明する。なお、実施の形態１の図４及び図５は実施の形態３にもそのまま用いるものとする。また、図８のパラメータ表は、図３に比べて、Ｔ０が待機終了時間で、Ｔ１が待機延長時間（固定値）である点が異なり、これが図７のフローチャート中のステップＳ４−１にも表れている。
基本的な動作や処理手順は実施の形態１と同じである。演算装置１ｃは待機動作中に１回目と同じカードを認証する回数を内部カウンタＣで数え（ステップＳ５−１）、この値に応じてステップＳ６にてランプ表示を変化させる（詳細については、図４参照）。待機動作終了時のカウンタＣ値で勤怠記録装置２の動作内容を変更する(ステップＳ７、Ｓ８)。なお、ステップＳ８における勤怠記録装置２の動作内容の詳細については、図５のとおりである。
【００１９】
以下、実施の形態１とは異なる動作についてのみ説明する。
［待機終了時間の設定］
実施の形態１では、待機終了時間Ｔ０を固定値にしていたが、この実施の形態３では、Ｔ０を待機終了時間、Ｔ１を待機延長時間（固定値）にしている。これにより、ステップＳ５−１にて認証回数カウンタＣが増えるたびに待機終了時間Ｔ０を所定時間Ｔ１だけ延ばしている。
【００２０】
［２回目以降に、１回目と異なるカードを操作した時］
実施の形態１では１回目のカードに対する待機動作に戻っていたが、この実施の形態３では以下の動作を行う。
２回目以降に、１回目と異なるカードを読込み、ステップＳ１２にて同一性認証でＮＧと判定すると、ステップＳ１６に進み、１回目のカードに対する待機動作を打切り、その時点での認証回数カウンタＣの値に基づいて勤怠記録装置２を動作させる（詳細については、図５参照）。
次に、ステップＳ１７にてランプをすべて消灯し、最後に読込んでレジスタＲ２に保持した社員番号をレジスタＲ１に設定する（Ｓ１８）。その後、ステップＳ３に戻り、レジスタＲ１の社員番号に対して通常の待機動作に入る。
この実施の形態３では、認証回教が増えるごとに待機終了時間Ｔ０を所定の待機延長時間（固定値）Ｔ１だけ延ばすので、Ｔ１は次の１回のカード操作に必要な時間、例えば２秒程度に設定すればよく、この結果、最後のカード操作後、速やかに待機動作が終了する。なお、実施の形態１では待機終了時間Ｔ０が固定値であったため、照合装置に入力できる最大操作回数に応じて待機終了時間Ｔ０を長く設定しておく必要があったが、実施の形態３ではその必要がない。
この実施の形態３によれば、認証回数増に応じて待機終了時間を延ばすので、操作回数の多少にかかわらず、最後のカード操作後、速やかに待機動作が終了する。また、２回目以降に１回目と異なるカードを読込んだ場合は、１回目のカードに対する待機動作を途中で打切って勤怠記録するようにしたので、多くの操作者が集中する時間帯であっても、前の操作者による待機動作に待たされることなく、次の操作者はすぐに照合装置を操作できる。なお、この実施の形態３の場合にも、実施の形態１と同様の効果が得られることはもちろんである。
【００２１】
実施の形態４.
また、上記実施の形態とは別の方式として、待機終了時間Ｔ０を１回のカード操作に必要な時間に固定し、認証回数カウンタ値Ｃが増えるたびに待機タイマーＴをリセットする方式でも良い。このようにすれば最後のカード操作から常に一定時間後に待機動作が終了する。さらに、この実施の形態４は、２回目以降に１回目と異なるカードを読込んだ場合は、１回目のカードに対する待機動作を途中で打切って勤怠記録するようにしたので、次の操作者はすぐに照合装置を操作することができる。
【図面の簡単な説明】
【００２２】
【図１】この発明を実施するための実施の形態１の一例として照合装置を勤怠管理システムに適用した場合を示すシステム構成図である。
【図２】この発明の実施の形態１における勤怠管理システムの処理手順を示すフローチャートである。
【図３】この発明の実施の形態１における勤怠管理システムの処理手順で用いるパラメータの意味を表わす表である。
【図４】この発明の実施の形態１における勤怠管理システムのランプ点灯内容を表わすテーブルである。
【図５】この発明の実施の形態１における勤怠管理システムの勤怠記録装置の制御内容を表わすテーブルである。
【図６】この発明の実施の形態２における勤怠管理システムのブザーの鳴動内容を表わすテーブルである。
【図７】この発明の実施の形態３における勤怠管理システムの処理手順を示すフローチャートである。
【図８】この発明の実施の形態３における勤怠管理システムの処理手順で用いるパラメータの意味を表わす表である。
【符号の説明】
【００２３】
１  照合装置
１ａ  読取装置
１ｂ  記憶装置
１ｃ  演算装置
１ｄ  確認ランプ
１ｅ  取消ランプ
１ｆ  ランプ制御装置
２  勤怠記録装置
【図１】
2005208873.tif 000003
【図２】
2005208873.tif 000004
【図３】
2005208873.tif 000005
【図４】
2005208873.tif 000006
【図５】
2005208873.tif 000007
【図６】
2005208873.tif 000008
【図７】
2005208873.tif 000009
【図８】
2005208873.tif 000010